(57)【要約】【課題】サーバー／スイッチシャーシをラックに取り付けるための取り付けブラケットを提供する。【解決手段】取り付けフランジと、サーバー／スイッチシャーシに接続される部材部と、部材部と取り付けフランジに接続される枢着機構と、を含み、前記取り付けフランジは、ラックの第一側からラックの第二側に移動するように枢着機構に沿って枢動する取り付けブラケット。【選択図】図３Ｂ
2018060518.tif 000002
【特許請求の範囲】
【請求項１】
サーバー／スイッチシャーシをラックに取り付けるための取り付けブラケットであって、
取り付けフランジと、
サーバー／スイッチシャーシに接続される部材部と、
前記部材部と前記取り付けフランジに接続される枢着機構と、
を含み、
前記取り付けフランジは、前記ラックの第一側から前記ラックの第二側に移動するように前記枢着機構に沿って枢動する取り付けブラケット。
【請求項２】
前記枢着機構は摺動機構であり、且つ前記取り付けフランジの前記枢着機構に沿う枢動は、前記取り付けフランジの前記摺動機構に沿う摺動を含む請求項１に記載の取り付けブラケット。
【請求項３】
前記取り付けフランジは、前記部材部と重なるために、前記摺動機構に沿って摺動するように配置される請求項２に記載の取り付けブラケット。
【請求項４】
前記枢着機構は回転機構であり、且つ前記取り付けフランジの前記枢着機構に沿う枢動は、前記部材部と重なるための前記回転機構に沿う回動を含む請求項１に記載の取り付けブラケット。
【請求項５】
前記取り付けフランジに位置するロック機構と、
前記取り付けフランジに位置するアンロックプラグと、
を更に含み、
前記取り付けフランジと前記ラックとが接触している場合、前記ロック機構は、前記取り付けフランジを前記ラックにロックさせ、且つ前記アンロックプラグが押し付けられる場合、前記アンロックプラグが前記取り付けブラケットをパネルから解放させる請求項１〜４の何れか一項に記載の取り付けブラケット。
【請求項６】
サーバー／スイッチシャーシを貯蔵するための貯蔵システムであって、
ラックと、
少なくとも１つのサーバー／スイッチシャーシと、
回転可能な取り付けブラケットと、
を備え、
前記回転可能な取り付けブラケットは、前記少なくとも１つのサーバー／スイッチシャーシに接続される部材部と、
前記取り付けブラケットと前記ラックとが互いに接触している場合、前記取り付けブラケットを前記ラックにロックさせるように配置されるロック機構を更に有する取り付けフランジと、を含む貯蔵システム。
【請求項７】
前記回転可能な取り付けブラケットは、更に、前記部材部と前記取り付けフランジに接続される枢着機構を含み、前記取り付けフランジが前記ラックの第一側から前記ラックの第二側に移動するように、前記枢着機構に沿って枢動する請求項６に記載の貯蔵システム。
【請求項８】
前記枢着機構は摺動機構であり、前記取り付けフランジの前記枢着機構に沿う枢動は、前記取り付けフランジの前記摺動機構に沿う摺動を含む請求項６又は７に記載の貯蔵システム。
【請求項９】
前記取り付けフランジは、前記部材部と重なるために、前記摺動機構に沿って摺動するように配置される請求項８に記載の貯蔵システム。
【請求項１０】
前記枢着機構は回転機構であり、前記取り付けフランジの前記枢着機構に沿う枢動は、前記部材部と重なるための前記回転機構に沿う回動を含む請求項６又は７の何れか一項に記載の貯蔵システム。
【発明の詳細な説明】
【技術分野】
【０００１】
本発明は、取り付けブラケット及び貯蔵システムに関し、特に、サーバー又はスイッチシャーシ用の取り付けブラケット及び貯蔵システムに関する。
【背景技術】
【０００２】
ラックに装着されるサーバー／スイッチシャーシは、従来、ラックの同側に装着と取り外しが行われる。つまり、サーバー／スイッチシャーシがラックの前より装着されると、前より取り外すしかない。
【発明の概要】
【発明が解決しようとする課題】
【０００３】
そのため、サーバー／スイッチシャーシ用の従来のブラケットの設計には制限があり、且つサーバー／スイッチシャーシがラック間を通ることができない。
【０００４】
従って、サーバー／スイッチシャーシがラックを通ることができ、使用上の利便性を改善してかかる時間を減少するために、サーバー／スイッチシャーシがラックの異なる側に装着と取り外しができるブラケットの設計が求められる。
【課題を解決するための手段】
【０００５】
本発明の実施形態は、シャーシに用いられる取り付けブラケットに関する。
【０００６】
例示的な実施形態の一側面によれば、サーバー／スイッチシャーシをラックに取り付けるための取り付けブラケットであって、取り付けフランジと、サーバー／スイッチシャーシに接続される部材部と、部材部と取り付けフランジに接続される枢着機構と、を含み、取り付けフランジは、ラックの第一側からラックの第二側に移動するように枢着機構に沿って枢動する取り付けブラケットである。
【０００７】
例示的な別の実施形態によれば、取り付けフランジは、枢着機構に沿って３６０度枢動するように配置される。
【０００８】
例示的な別の実施形態によれば、取り付けフランジは、枢着機構に沿って１８０度枢動するように配置される。
【０００９】
例示的な別の実施形態によれば、枢着機構は摺動機構であり、且つ取り付けフランジの枢着機構に沿う枢動は、取り付けフランジの摺動機構に沿う摺動を含む。
【００１０】
例示的な別の実施形態によれば、取り付けフランジは、部材部と重なるために、摺動機構に沿って摺動するように配置される。
【００１１】
例示的な別の実施形態によれば、枢着機構は回転機構であり、且つ取り付けフランジの枢着機構に沿う枢動は、部材部と重なるための回転機構に沿う回動を含む。
【００１２】
例示的な別の実施形態によれば、取り付けフランジは、枢着機構に沿って３６０度回動するように配置される。
【００１３】
例示的な別の実施形態によれば、取り付けフランジは、枢着機構に沿って１８０度回動するように配置される。
【００１４】
例示的な別の実施形態によれば、取り付けブラケットは、取り付けフランジに位置するロック機構と、取り付けフランジに位置するアンロックプラグと、を更に含み、取り付けフランジとラックとが接触している場合、ロック機構は、取り付けフランジをラックにロックさせるように配置され、アンロックプラグが押し付けられる場合、アンロックプラグが取り付けブラケットを前記パネルから解放させる。
【００１５】
例示的な実施形態の別の側面によれば、貯蔵サーバー／スイッチシャーシに用いられる貯蔵システムであって、ラックと、少なくとも１つのサーバー／スイッチシャーシと、回転可能な取り付けブラケットと、を備え、回転可能な取り付けブラケットは、少なくとも１つのサーバー／スイッチシャーシに接続される部材部と、取り付けブラケットとラックとが互いに接触している場合、取り付けブラケットをラックに取り付けるように配置されるロック機構を更に有する取り付けフランジと、を含む貯蔵システムである。
【００１６】
例示的な別の実施形態によれば、回転可能な取り付けブラケットは、更に、部材部と取り付けフランジに接続される枢着機構を含み、取り付けフランジがラックの第一側からラックの第二側に移動するように、枢着機構に沿って枢動する。
【００１７】
例示的な別の実施形態によれば、取り付けフランジは、枢着機構に沿って３６０度枢動するように配置される。
【００１８】
別の例示的な実施形態によれば、取り付けフランジは、枢着機構に沿って１８０度枢動するように配置される。
【００１９】
例示的な別の実施形態によれば、枢着機構は摺動機構であり、取り付けフランジの枢着機構に沿う枢動は、取り付けフランジの摺動機構に沿う摺動を含む。
【００２０】
例示的な別の実施形態によれば、取り付けフランジは、部材部と重なるために、摺動機構に沿って摺動するように配置される。
【００２１】
例示的な別の実施形態によれば、枢着機構は回転機構であり、且つ取り付けフランジの枢着機構に沿う枢動は、部材部と重なるための取り付けフランジの回転機構に沿う回動を含む。
【００２２】
例示的な別の実施形態によれば、取り付けフランジは、枢着機構に沿って３６０度回動するように配置される。
【００２３】
例示的な別の実施形態によれば、取り付けフランジは、枢着機構に沿って１８０度回動するように配置される。
【図面の簡単な説明】
【００２４】
【図１Ａ】例示的な実施形態によるスイッチ／サーバーシャーシ用の従来の取り付けブラケットを示す模式図である。
【図１Ｂ】例示的な実施形態によるスイッチ／サーバーシャーシ用の従来の取り付けブラケットを示す模式図である。
【図２Ａ】例示的な実施形態によるサーバー／スイッチシャーシ用の回転可能な取り付けブラケットを示す模式図である。
【図２Ｂ】例示的な実施形態によるサーバー／スイッチシャーシ用の回転可能な取り付けブラケットを示す模式図である。
【図２Ｃ】例示的な実施形態によるサーバー／スイッチシャーシ用の回転可能な取り付けブラケットを示す模式図である。
【図２Ｄ】例示的な実施形態によるサーバー／スイッチシャーシ用の回転可能な取り付けブラケットを示す模式図である。
【図３Ａ】例示的な実施形態によるラックの上方から示される回転可能な取り付けブラケットを示す模式図である。
【図３Ｂ】例示的な実施形態によるラックの上方から示される回転可能な取り付けブラケットを示す模式図である。
【図４Ａ】例示的な実施形態による摺動可能な取り付けブラケットを示す模式図である。
【図４Ｂ】例示的な実施形態による摺動可能な取り付けブラケットを示す模式図である。
【図５Ａ】例示的な実施形態による回転可能な取り付けブラケットを示す模式図である。
【図５Ｂ】例示的な実施形態による回転可能な取り付けブラケットを示す模式図である。
【発明を実施するための形態】
【００２５】
本発明については、添付図面に合わせて詳しく説明し、参照番号は、図における全ての近似又は同等な素子を指す。図形は、比率に基づいて作図されず、この発明を図示するためのものに過ぎない。以下、適用例によって本発明の各側面を説明する。本発明を十分に理解されるために、多くの特定の細部、関連性及び方法が説明される。しかしながら、当業者であれば、その他の方法又は所定の細部の１つ以上を省略してこの発明を実行することができることは、容易に理解することができる。その他の例において、非合焦を避けるために、周知の構造又は操作を詳しく説明することがない。この発明は、動作又は事例の図示の順序によって制限されず、例えば、ある動作は異なる順序に従って且つ／又は他の動作又は事例と同時に並行することができる。尚、この発明を実施するために提出される方法では、説明される動作又は事例が全然不可欠わけではない。
【００２６】
上記討論のとおり、サーバー／スイッチシャーシをラックの異なる側から装着と取り外しを行うことができることを著しい利点とし、それによりサーバー／スイッチシャーシをラックから通らせて、使用上の利便性を改善して消費時間を減少することができるラックが開発される。
【００２７】
上記のとおり、本発明は、回転可能な取り付けブラケットが設計される。図１Ａ〜図５Ｂに、このようなブラケット設計の各種の異なる例示的な実施形態を説明する。
【００２８】
例示的な実施形態によれば、図１は、サーバー／スイッチシャーシ用の従来の取り付けブラケットを示す。
【００２９】
図１Ａに示すように、サーバー／スイッチシャーシに接続される従来の取り付けブラケットは、シャーシをラックに接続するのに用いられる。シャーシは、ただラックの一側よりしか出入りすることができないことが明らかである。
【００３０】
図１Ｂは、ブラケットとラックが揃い、且つネジ釘／ワッシャでブラケットをラックにロックさせることができる実施形態を更に示す。図面には、従来の取り付けブラケットの下方において、シャーシがラックの一側のみへ移動するように制限されることを明らかに示す。
【００３１】
例示的な実施形態によれば、図２Ａ〜図２Ｄには、サーバー／スイッチシャーシにおける回転可能な取り付けブラケットとラックとの相互作用を示す。
【００３２】
図２Ａは、例示的な実施形態に係るシャーシをラックにロックさせるようにブラケットとラックとが揃っている回転可能な取り付けブラケットを示す。
【００３３】
図２Ｂは、回転可能な取り付けブラケットをサーバー／スイッチシャーシの方向へ回転することにより、サーバー／スイッチシャーシのラックの両側における出入りを阻止することがない例示的な実施形態を示す。
【００３４】
図２Ｃは、完全に回転した回転可能な取り付けブラケットを示し、この時、サーバー／スイッチシャーシをラックから取り外すことができる。
【００３５】
図２Ｄは、回転可能な取り付けブラケットが既に回転されてラックの通路から離れ、サーバー／スイッチシャーシのラックの後側からの取り外しを阻止することがない例示的な実施形態を示す。
【００３６】
回転可能な取り付けブラケットの異なる実施形態について、その取り付けブラケットが回転する実施形態は、図３Ａから図５Ｂを参照されたい。
【００３７】
図３Ａと図３Ｂは、ラック３０４の上面図から見られた回転可能な取り付けブラケットの例示的な実施形態を示す。
【００３８】
図３Ａに示すように、回転可能なブラケットは、ネジ釘、ネジ又はその他の取り付け具によってサーバー／スイッチシャーシ３０５の一部に接続される部材部３０１を含む。部材部３０１は、サーバー／スイッチシャーシ３０５の開口部に対応し、部材部３０１をサーバー／スイッチシャーシ３０５に取り付けることに用いることができる開口部（未図示）を有してもよい。
【００３９】
回転可能な取り付けブラケットは、更に、ラック３０４の取り付け部に接続された取り付けフランジ３０３を含む。図３Ａのようにラック３０４の上方から見下ろすと、ラック３０４が取り付けフランジ３０３に接続される。ネジ釘、ネジ又はその他の取り付け具によって取り付けフランジ３０３をラック３０４の取り付け部に接続することができる。取り付けフランジ３０３は、ラック３０４の開口部に対応し、取り付けフランジ３０３をラック３０４に取り付けることに用いることができる開口部（未図示）を有してもよい。
【００４０】
例示的な実施形態によれば、回転可能な取り付けブラケットは、取り付けフランジ３０３に位置するロック機構３０６と、取り付けフランジ３０３に位置するアンロックプラグ３０７と、を更に含む。取り付けフランジ３０３とラック３０４とが接触している場合、ロック機構３０６が取り付けフランジ３０３をラック３０４にロックさせる。アンロックプラグ３０７が押し付けられる場合、アンロックプラグ３０７が取り付けブラケットをパネルから解放する。
【００４１】
枢着機構３０２は、部材部３０１と取り付けフランジ３０３に接続される。例示的な実施形態によれば、サーバー／スイッチをラック３０４から取り外す必要がある場合、取り付けフランジ３０３は、図３Ｂに示すようにラック３０４の通路から離れるように、枢着機構３０２に沿ってサーバー／スイッチシャーシ３０５へ回転することができる。矢印と点線の位置で取り付けフランジ３０３の移動を表し、取り付けフランジ３０３がラック３０４を阻止する懸念がなく、この移動によりシャーシがラック３０４の両側から自由に出入りすることができる。
【００４２】
図４Ａと図４Ｂは、ラック４０４の上方から回転可能な取り付けブラケットの別の例示的な実施形態を示す。
【００４３】
図４Ａと図４Ｂに示すように、回転可能な取り付けブラケットは、ネジ釘、ネジ又はその他の取り付け具によってサーバー／スイッチシャーシ４０５の一部に接続される部材部４０１を含む。部材部４０１は、サーバー／スイッチシャーシ４０５の開口部に対応し、部材部４０１をサーバー／スイッチシャーシ４０５に取り付けるための開口部（未図示）を有してもよい。
【００４４】
回転可能な取り付けブラケットは、更に、摺動機構４０２に接続される取り付けフランジ４０３を併有する。図４Ａのように、ラック４０４の上方から見下ろすと、ラック４０４が取り付けフランジ４０３に接続される。ネジ釘、ネジ又はその他の取り付け具によって取り付けフランジ４０３をラック４０４の取り付け部に接続することができる。取り付けフランジ４０３は、ラック４０４の開口部に対応し、取り付けフランジ４０３をラック４０４に取り付けるための開口部（未図示）を有してもよい。
【００４５】
例示的な実施形態によれば、摺動可能な取り付けブラケットは、更に、取り付けフランジ４０３に位置するロック機構４０６と、取り付けフランジ４０３に位置するアンロックプラグ４０７とを含む。取り付けフランジ４０３とラック４０４とが接触している場合、ロック機構４０６は、取り付けフランジ４０３をラック４０４にロックさせる。アンロックプラグ４０７が押し付けられる場合、アンロックプラグ４０７が取り付けブラケットをパネルから解放する。
【００４６】
摺動機構４０２は、部材部４０１と取り付けフランジ４０３に接続される。例示的な実施形態によれば、サーバー／スイッチをラック４０４から取り外す必要があると、取り付けフランジ４０３は、図４Ｂに示すようにラック４０４の通路から離れるように、摺動機構４０２に沿ってサーバー／スイッチシャーシ４０５へ摺動する。矢印と点線の位置で取り付けフランジ４０３の移動を表し、取り付けフランジ４０３がラック４０４を阻止する懸念がなく、この移動によりシャーシがラック４０４の両側から自由に出入りすることができる。
【００４７】
図５Ａと図５Ｂは、ラック５０４の前から別の例示的な実施形態を示す。
【００４８】
図５Ａと図５Ｂに示すように、回転可能な取り付けブラケットは、ネジ釘、ネジ又はその他の取り付け具によってサーバー／スイッチシャーシ５０５の一部に接続される部材部５０１を含む。部材部５０１は、サーバー／スイッチシャーシ５０５の開口部に対応し、部材部５０１をサーバー／スイッチシャーシ５０５に取り付けるための開口部（未図示）を有してもよい。
【００４９】
回転可能な取り付けブラケットは、更に、ラック５０４の取り付け部に接続される取り付けフランジ５０３を含む。図５Ａのように、正面視よりラック５０４の取り付けフランジ５０３への接続を示す。ネジ釘、ネジ又はその他の取り付け具によって取り付けフランジ５０３をラック５０４の取り付け部に接続することができる。取り付けフランジ５０３は、ラック５０４の開口部に対応し、取り付けフランジ５０３をラック５０４に取り付けるための開口部（未図示）を有してもよい。
【００５０】
例示的な実施形態によれば、回転可能な取り付けブラケットは、更に、取り付けフランジ５０３に位置するロック機構５０６と取り付けフランジ５０３に位置するアンロックプラグ５０７を含む。取り付けフランジ５０３とラック５０４とが接触している場合、ロック機構５０６が取り付けフランジ５０３をラック５０４にロックさせる。アンロックプラグ５０７が押し付けられる場合、アンロックプラグ５０７が取り付けブラケットをパネルから解放する。
【００５１】
回転機構５０２は、部材部５０１と取り付けフランジ５０３に接続される。例示的な実施形態によれば、サーバー／スイッチシャーシをラック５０４から取り外す必要がある場合、取り付けフランジ５０３は、図５Ｂに示すようにラック５０４の通路から離れるように、回転機構５０２に沿ってサーバー／スイッチシャーシ５０５へ回動する。矢印と点線の位置で取り付けフランジ５０３の移動を示し、取り付けフランジ５０３がラック５０４を阻止する懸念がなく、この移動でシャーシがラック５０４の両側から自由に出入りすることができる。
【００５２】
回転可能な取り付けブラケットは、更に補強機構を含み、取り付けフランジと部材部がラック又はサーバー／スイッチシャーシにしっかりと取り付けられない場合、補強機構は取り付けフランジ及び部材部の揺れを防止することができる。例示的な実施形態によれば、この補強機構は、ばね荷重機構であってもよい。
【００５３】
補強機構は、更に上記のような枢着機構、摺動機構又は回転機構に取り込まれてもよく、又は、独立な部品として実施してもよい。
【００５４】
補強機構は、ラック又はサーバー／スイッチシャーシと接触しない時に揺れることがないように、更にネジ釘、ネジ又はその他の取り付け方法によって部材部と取り付けフランジを取り付けることができる。
【００５５】
上記のように、ネジ釘、ネジ又はその他の取り付け方法を参照して補強機構を説明したが、補強機構は、独立な部品としてもよく、外部素子を使用することなく、部材部と取り付けフランジを支持する。
【００５６】
以上、本発明の複数の実施形態を説明したが、理解すべきなのは、その呈示はただ挙例用に過ぎなく、制限するものではない。開示された実施形態は、この発明の精神と範囲を逸脱しない限り、この開示に基づいて数種類の変動を加えることができる。従って、この発明の広さと範囲は、前記の実施形態によって制限されるものではない。この発明の範囲は、後記の請求項及びその同等な効果によって定義されるものである。
【００５７】
本発明は、関連の実施形態を解釈して詳しく説明したが、他の当業者は、この明細書及び添付図面を閲覧及び理解した上で、同等な効果の変更と修正を想到できる。尚、この発明の所定の特徴は、複数の実施形態の１つにのみ開示されるかもしれなく、この特徴は、所定の適用の期待とメリットを達成するために、１つ又は複数の他の実施形態における特徴と組み合わせることができる。
【００５８】
ここに用いられる用語は、この発明を有意に制限するものでなく、特定の実施形態を詳しく説明することに過ぎない。上下文には、単数を特記しない限り、ここで用いられる単数型の「一」と「前記」は、複数型も指す。尚、用語「からなる」、「を有する」、「を持つ」又はその他の変形については、詳細な実施細部及び／又は請求項によらず、このような用語の使用方法は何れも、「を含む」に近い。
【００５９】
特別に定義しない限り、ここの全ての用語（技術的及び科学的用語を含む）は何れも、当業者によって容易に理解できる。更に理解すべきなのは、ここのよく辞書に載られる通常の用語について、関連分野の背景で解読すべきであり、且つ、特別に定義しない限り、この解読は、理想化又は正規化し過ぎるべきではない。
【符号の説明】
【００６０】
３０１    部材部
３０２    枢着機構
３０３    取り付けフランジ
３０４    ラック
３０５    サーバー／スイッチシャーシ
３０６    ロック機構
３０７    アンロックプラグ
４０１    部材部
４０２    摺動機構
４０３    取り付けフランジ
４０４    ラック
４０５    サーバー／スイッチシャーシ
４０６    ロック機構
４０７    アンロックプラグ
５０１    部材部
５０２    回転機構
５０３    取り付けフランジ
５０４    ラック
５０５    サーバー／スイッチシャーシ
５０６    ロック機構
５０７    アンロックプラグ
【図１Ａ】
2018060518.tif 000003
【図１Ｂ】
2018060518.tif 000004
【図２Ａ】
2018060518.tif 000005
【図２Ｂ】
2018060518.tif 000006
【図２Ｃ】
2018060518.tif 000007
【図２Ｄ】
2018060518.tif 000008
【図３Ａ】
2018060518.tif 000009
【図３Ｂ】
2018060518.tif 000010
【図４Ａ】
2018060518.tif 000011
【図４Ｂ】
2018060518.tif 000012
【図５Ａ】
2018060518.tif 000013
【図５Ｂ】
2018060518.tif 000014